(57)【要約】【課題】  携帯可能な情報端末機を用いてチケットを使用者に提供する方法、提供されたチケットを現場で用いられるチケットの提供方法及び利用方法とそのシステムを提供する。【解決手段】  携帯可能な情報端末機を用いて有線又は無線で要請したチケットをチケット発券が可能なサーバ又はチケット発券機が電子チケットのような形態で発券し、発券されたチケットに関連情報は情報端末機に貯蔵されるように構成される。又、携帯可能な情報端末機に貯蔵されたチケットに関連情報が有線又は無線でチケット認証／出入処理装置へ伝送されれば、チケット認証／出入処理装置がチケットを発行したチケットサーバを通じて照会して情報端末機の使用者に対する出入可否を決定するように構成される。【選択図】  図１
2004355641.tif 000002
【特許請求の範囲】
【請求項１】
携帯可能な端末機とチケット発券が可能なサーバを用いたチケット提供方法において、
前記情報端末機から所定チケットに対する発券要請を受信する段階と、
前記発券要請が受信されれば、前記サーバと前記端末機との通信プロトコルをチェックする段階と、
前記発券が要請されたチケットに関連情報を該当通信プロトコルに変換して前記端末機へ伝送する段階とを含むチケット提供方法。
【請求項２】
前記発券要請及び前記チケットに関連情報伝送は有線又は無線より成ることを特徴とする請求項１に記載のチケット提供方法。
【請求項３】
前記通信プロトコルチェック段階で前記サーバは遠距離プロトコルと近距離プロトコルとを全て考慮して前記通信プロトコルをチェックすることを特徴とする請求項１に記載のチケット提供方法。
【請求項４】
前記端末機に変換されたチケットに関連情報を伝送する段階で前記チケットに関連情報メッセージタイプ情報、チケットの固有識別子情報、認証暗号情報、チケット内訳情報を含めて前記端末機へ伝送することを特徴とする請求項１に記載のチケット提供方法。
【請求項５】
前記端末機に変換されたチケットに関連情報を伝送する段階で前記チケットに関連情報に現在メッセージ番号と全体メッセージ個数情報とをさらに含めて前記情報端末機へ伝送することを特徴とする請求項４に記載のチケット提供方法。
【請求項６】
前記端末機に変換されたチケットに関連情報を伝送する段階で前記チケット内訳情報にチケット販売所、メンバシップID、チケット種類、細部チケット情報、連続枚数情報、利用時間及び座席情報を含めて前記情報端末機へ伝送することを特徴とする請求項４に記載のチケット提供方法。
【請求項７】
前記チケット提供方法は、
前記端末機に前記チケットに関連情報を貯蔵する段階をさらに含むことを特徴とする請求項１に記載のチケット提供方法。
【請求項８】
前記貯蔵段階は、
前記端末機で前記チケットに関連情報を分析する段階と、
前記分析された結果を参考して前記チケットに関連情報を貯蔵する段階とを含むことを特徴とする請求項７に記載のチケット提供方法。
【請求項９】
前記分析された結果を参考して前記チケットに関連情報を貯蔵する段階は前記分析段階で前記チケットに関連情報に含まれているチケット内訳情報を分析した結果を参考して所定基準により前記チケットに関連情報を分類して貯蔵することを特徴とする請求項８に記載のチケット提供方法。
【請求項１０】
前記所定基準はチケット販売所又はチケット種類又は使用日付より成ることを特徴とする請求項９に記載のチケット提供方法。
【請求項１１】
前記分析された結果を用いてチケットに関連情報を貯蔵する段階は、
前記分析段階で前記チケットに関連情報に含まれているメッセージタイプ情報、チケットの固有識別子、現在メッセージ番号及び全体メッセージ個数を分析した結果を参考して受信された前記チケットに関連情報を組み立てる段階をさらに含むことを特徴とする請求項８に記載のチケット提供方法。
【請求項１２】
前記端末機に前記チケットに関連情報を貯蔵する段階は、
前記分析段階で前記チケットに関連情報に含まれている認証暗号情報を分析した結果を情報端末機使用者に確認させる段階と、
前記認証暗号情報が正しいという使用者命令が入力されれば、前記分析された結果を参考して前記チケットに関連情報を貯蔵する段階へ進む段階とをさらに含むことを特徴とする請求項８に記載のチケット提供方法。
【請求項１３】
前記チケット提供方法は、
前記発券要請が受信されれば、前記端末機に対して前記チケットに対する発券が可能なのかをチェックし、発券が可能な場合に前記通信プロトコルをチェックする段階へ進む段階をさらに含むことを特徴とする請求項１に記載のチケット提供方法。
【請求項１４】
チケット発券機を通じて携帯可能な端末機でチケットを提供する方法において、
前記端末機からチケットに対する発券要請を受信する段階と、
前記発券要請が受信されれば、前記チケット発券機は前記チケットが発行できるサーバで前記チケットに関連情報を要請する段階と、
前記サーバから前記チケットに関連情報を受信する段階と、
前記チケットに関連情報が受信されれば、前記チケット発券機と前記端末機との通信プロトコルをチェックする段階と、
前記チケットに関連情報を該当通信プロトコルに変換して前記端末機へ伝送する段階とを含むチケット提供方法。
【請求項１５】
携帯可能な端末機を用いて受領したチケットに対する利用方法において、
前記端末機から前記チケットに関連情報を受信する段階と、
前記チケットに関連情報が受信されれば、前記チケットに関連情報を分析して前記チケットを発行したサーバを把握する段階と、
前記サーバで前記チケットに関連情報に対する照会を要求する段階と、
前記サーバから前記照会要求に対する結果を受信する段階と、
受信された照会結果により前記端末機の使用者に対する出入可否を決定する段階とを含むチケット利用方法。
【請求項１６】
前記チケットに関連情報を分析してチケットを発行するサーバを把握する段階は前記チケットに関連情報に含まれているチケット販売所を分析して前記サーバを把握することを特徴とする請求項１５に記載のチケット利用方法。
【請求項１７】
前記出入可否を決定する段階は、
前記照会結果を前記端末機へ伝送する段階をさらに含むことを特徴とする請求項１５に記載のチケット利用方法。
【請求項１８】
チケット提供システムにおいて、
発券されたチケットに関連情報を貯蔵する携帯可能な端末機と、
少なくとも一つのチケットに関連情報を貯蔵するデータベースと、
貯蔵部と前記貯蔵部に接続された処理器を含み、前記貯蔵部は処理器を制御するためのプログラムを貯蔵し、前記処理器は前記プログラムを動作させ、
前記端末機からチケット発券が要請されれば、前記データベースを参照して前記チケットに関連情報を検索し、
前記端末機との通信プロトコルをチェックし、
検索された前記チケットに関連情報を該当通信プロトコルに変換して前記端末機へ伝送するサーバとを含むチケット提供システム。
【請求項１９】
前記携帯可能な端末機は携帯ホン、ＰＤＡ、ＨＰＣ、ノート型パソコンのように有線又は無線で前記サーバと接続が可能な端末機で構成されることを特徴とする請求項１８に記載のチケット提供システム。
【請求項２０】
前記サーバは前記通信プロトコルをチェックした結果、前記通信プロトコルが短文メッセージサービスを用いる遠距離プロトコルであれば、前記チケットに関連情報を短文メッセージサービス規格に合うように伝送し、前記通信プロトコルがブルートゥース、ＩｒＤＡ規格、ＲＦのような無線又はケーブルを用いたシリアル方式のような近距離プロトコルの中一つであれば、前記チケットに関連情報を該当近距離プロトコルに合うように伝送するように構成されることを特徴とする請求項１８に記載のチケット提供システム。
【請求項２１】
前記端末機は前記サーバから受信された前記チケットに関連情報を分析した結果と所定の基準に基づき前記チケットに関連情報を分離して貯蔵するように構成されることを特徴とする請求項１８に記載のチケット提供方法。
【発明の詳細な説明】
【技術分野】
【０００１】
本発明は使用者にチケットを提供する方法及び提供されたチケットを現場で用いる方法とそのシステムに関する。
【背景技術】
【０００２】
映画、演劇、公演、スポーツ等を観覧するか、或いはホテル、航空機、鉄道、バス、行楽地等を用いるために使用者はチケットを購入しなければならない。チケットを購入する方法は使用者が現場で直接購買することと通信手段を用いて前売りを行うことがある。このようにチケットを購入する時、使用者は必ずチケットを発券することができる窓口で印刷物形態のチケットを受領しなければならない。チケットを発券することができる窓口は現場にある切符売り場、加盟店、自動発券機等が該当する。
【０００３】
このような発券方式により使用者にチケットが提供されれば、使用者は該当公演を観覧するか、或いは該当施設を用いるために、所持しているチケットを提示しなければならない。従って、使用者は発券されたチケットを紛失した場合に該当公演が観覧できないか該当施設が利用できない問題が発生できる。又、公演主催者や利用施設運営者はチケット発券及び検札のための人員を配置しなければならない。
【発明の開示】
【発明が解決しようとする課題】
【０００４】
本発明の目的は携帯可能な端末機を用いてチケットを使用者に提供し、提供されたチケットを現場で用いられるチケット提供及び利用方法とそのシステムを提供することにある。
【課題を解決するための手段】
【０００５】
前記目的を達成するために本発明に係るチケット提供方法は、携帯可能な情報端末機とチケット発券が可能なサーバを用いたチケット提供方法において、(a)端末機から所定チケットに対する発券要請を受信する段階と、(b)発券要請が受信されれば、サーバと端末機との通信プロトコルをチェックする段階と、(c)発券が要請されたチケットに関連情報を該当通信プロトコルに変換して端末機へ伝送する段階とを含むことが望ましい。
【０００６】
前記目的を達成するために本発明に係るチケット提供方法は、前記端末機に前記チケットに関連情報を貯蔵する段階をさらに含むことが望ましい。
前記目的を達成するために本発明に係るチケット提供方法は、チケット発券機を通じて携帯可能な情報端末機でチケットを提供する方法において、情報端末機からチケットに対する発券要請を受信する段階と、発券要請が受信されれば、チケット発券機はチケットが発行できるサーバでチケットに関連情報を要請する段階と、サーバからチケットに関連情報を受信する段階と、チケットに関連情報が受信されれば、チケット発券機と端末機との通信プロトコルをチェックする段階と、チケットに関連情報を該当通信プロトコルに変換して端末機へ伝送する段階とを含むことが望ましい。
【０００７】
前記目的を達成するために本発明に係るチケット利用方法は、携帯可能な端末機を用いて受領したチケットに対する利用方法において、情報端末機からチケットに関連情報を受信する段階と、チケットに関連情報が受信されれば、チケットに関連情報を分析してチケットを発行したサーバを把握する段階と、サーバでチケットに関連情報に対する照会を要求する段階と、サーバから照会要求に対する結果を受信する段階と、受信された照会結果により端末機の使用者に対する出入可否を決定する段階とを含むことが望ましい。
【０００８】
前記目的を達成するために本発明に係るチケット提供システムは、発券されたチケットに関連情報を貯蔵する携帯可能な端末機と、少なくとも一つのチケットに関連情報を貯蔵するデータベースと、貯蔵部と貯蔵部に接続された処理器とを含み、貯蔵部は処理器を制御するためのプログラムを貯蔵し、処理器はプログラムを動作させ、端末機からチケット発券が要請されれば、データベースを参照してチケットに関連情報を検索し、情報端末機との通信プロトコルをチェックし、検索されたチケットに関連情報を該当通信プロトコルに変換して端末機へ伝送するサーバを含むことが望ましい。
【発明を実施するための最良の形態】
【０００９】
以下、添付した図面を参照して本発明に係る実施形態を詳細に説明する。
図１は本発明に係るチケット提供及び利用システムの機能ブロック図であって、チケットを提供される時、チケット発券機を用いる場合とチケット発券機を用いない場合を全て含んだ場合である。
【００１０】
図１を参照すれば、本発明に係るチケット提供及び利用システムは、端末機１１０、チケット発券機１２０、チケットサーバ１３０、データベース１４０、チケット認証／出入処理器１５０で構成される。
【００１１】
端末機１１０は携帯ホン、個人携帯端末機(Personal Digital Assistant, PDA)、HPC(Handheld PC)、ノート型パソコンのような携帯可能な端末機である。この端末機１１０は発券されたチケットに関連情報を貯蔵されるように構成される。このため、端末機１１０は貯蔵部１１１と貯蔵部１１１に接続された処理器１１２とを含む。貯蔵部１１１は処理器１１２の動作を制御するためのプログラム及び発券されたチケットに関連情報を貯蔵される。
【００１２】
処理器１１２は発券されたチケットに関連情報が貯蔵部１１１に貯蔵されるように動作する。チケット利用時、処理器１１２は貯蔵部１１１に貯蔵されているチケットに関連情報をチケット認証／出入処理器１５０へ送出する。端末機１１０はチケット発券機１２０、チケットサーバ１３０及びチケット認証／出入処理器１５０と有線又は無線で接続できる。
【００１３】
チケット発券機１２０は端末機１１０により要請されたチケットを発券する。この際、発券されるチケットは端末機１１０とチケット発券機１２０との通信プロトコルに適していた形態で提供される。従って、発券されるチケットは電子チケット（e-ticket）と表現することもできる。
【００１４】
発券されるチケットのデータは図２に示されたように構成できる。即ち、発券されるチケットのデータは１バイトのメッセージタイプ情報Ａ、１バイトのチケットの固有識別子情報Ｂ、１バイトの現在メッセージ番号情報Ｃ、１バイトの全体メッセージ個数情報Ｄ、１６バイトの認証暗号情報Ｅ、４バイトのチケット販売所情報Ｆ、１６バイトのメンバシップＩＤ（又はパスワード）情報Ｇ、１バイトのチケット種類情報Ｈ、２バイトの細部チケット情報Ｉ、２２バイトの連続枚数情報Ｊ、年／月／日／時／分と座席番号情報Ｋ、１４バイトの予備領域Ｒを含むように構成される。各情報に対する割当領域は運営条件により変更されることもできる。前述したＦ乃至Ｋ領域の情報はチケット内訳情報に該当する。
【００１５】
チケット発券機１２０は貯蔵部１２１と貯蔵部１２１に接続された処理器１２２を含む。貯蔵部１２１には処理器１２２を制御するためのプログラムが貯蔵される。処理器１２２は端末機１１１からチケット発券が要請されれば、チケットが発行できるチケットサーバ１３０へ要請されたチケットに関連情報提供を要請する。チケットサーバ１３０からチケットに関連情報が提供されれば、チケット発券機１２０は情報端末機１１０との通信プロトコルをチェックする。通信プロトコルは短文メッセージサービス(Short Message Service，SMS)を用いる遠距離プロトコルとブルートゥース(bluetooth)、赤外線データ通信協会(Infrared Data Association，IrDA)、高周波RF及びケーブルを直接接続するシリアル方式を用いる近距離プロトコルを全て考慮する。チケットに関連情報は該当通信プロトコルに変換されて端末機１１０へ伝送する。
【００１６】
チケットサーバ１３０は端末機１１０が発券を要請したチケットに関連情報を提供する。提供方式は端末機１１０へ直接提供するか、或いはチケット発券機１２０を通じて提供できる。又、チケット利用時、チケットサーバ１３０はチケット認証／出入処理器１５０から要請されるチケットに関連されたデータに対する照会に応じる。このためチケットサーバ１３０は貯蔵部１３１と貯蔵部１３１に接続された処理器１３２とを含む。貯蔵部１３１には処理器１３２を制御するためのプログラムが貯蔵される。
【００１７】
処理器１３２は端末機１１０から直接チケット発券が要請された場合、データベース１４０を参照して要請されたチケットに関連情報を検索する。そして、端末機１１０とチケットサーバ１３０との通信プロトコルをチェックする。チェック方式はチケット発券機１２０でなされたことと同一である。通信プロトコルがチェックされれば、チェックされた通信プロトコルによりチケットに関連情報を変換させて端末機１１０へ伝送する。
【００１８】
しかし、チケット発券機１２０を通じてチケットに関連情報が要請された場合、処理器１３２はデータベース１４０で該当チケットに関連情報を検索し、チケット発券機１２０で検索されたチケットに関連情報を伝送する。
又、処理器１３２はチケット認証／出入処理器１５０からチケットに関連されたデータに対する照会が要求されれば、データベース１４０を参照して照会結果をチケット認証／出入処理器１５０へ伝送する。
【００１９】
チケットサーバ１３０はチケット販売事業者に該当チケット販売所毎に割り当てられることである。従って、図１では説明の便宜のために一つのチケットサーバ１３０のみ示したが、チケット販売所がＮ個の場合にチケットサーバ１３０はＮ個のチケットサーバを含むチケットサーバ群で構成できる。
【００２０】
データベース１４０は発券可能なチケットに関連情報と、発券されたチケットに関連情報を貯蔵する。発券可能なチケットに関連情報は電話又はインターネットのような通信手段を用いた使用者の前売り行為により発生された情報である。
【００２１】
チケット認証／出入処理器１５０はチケットを用いるために端末機１１０からチケットに関連情報が受信されれば、これを認証し、情報端末機１１０の使用者に対する出入処理を行う。このためチケット認証／出入処理器１５０は貯蔵部１５１と貯蔵部１５１に接続された処理器１５２を含む。貯蔵部１５１は処理器１５２を制御するためのプログラムを貯蔵する。
【００２２】
処理器１５２は端末機１１０からチケットに関連情報が受信されれば、受信されたチケットに関連情報に含まれているチケット販売所を分析して該当チケットサーバを把握する。把握されたチケットサーバがチケットサーバ１３０であれば、処理器１５２はチケットサーバ１３０へ受信されたチケットに関連情報に対する照会を要請する。チケットサーバ１３０から照会結果が受信されれば、受信された照会結果により端末機１１０の使用者に対する出入可否を決定して処理する。この際、処理器１５２は照会結果を端末機１１０へ伝送することもできる。
【００２３】
端末機１１０とチケット認証／出入処理器１５０とは有線又は無線でデータを送信及び受信できる。
図３は本発明に係るチケット提供方法におけるチケットサーバの動作流れ図であって、チケット発券機１２０を使用せずチケットを提供する場合である。
【００２４】
即ち、段階３０１で端末機１１０が任意のチケット発券を要請すれば、チケットサーバ１３０は段階３０３で該当チケットが発券可能なのかをチェックする。チェック方式はデータベース１４０に該当チケットに対する情報の存在有無をチェックする。即ち、該当チケットに対する情報がデータベース１４０に存在すれば、該当チケットは発券が可能である。しかし、データベース１４０に情報が存在しなければ該当チケットは発券が不可能である。
【００２５】
チェック結果、発券が可能な場合に、チケットサーバ１３０は段階３０５へ進行されて端末機１１０とチケットサーバ１３０との通信プロトコルをチェックする。チェック方式は図１と同様である。通信プロトコルがチェックされれば、段階３０７で該当チケットに関連情報を該当通信プロトコルに変換して端末機１１０へ伝送する。
【００２６】
しかし、段階３０３でチェックした結果、チケット発券が不可能な場合にチケットサーバ１３０は段階３０９へ進行されて発券不可能メッセージを端末機１１０へ伝送する。
【００２７】
図４は本発明に係るチケット提供方法におけるチケット発券機１２０の動作流れ図である。
即ち、段階４０１で端末機１１０が任意のチケット発券を要請すれば、チケット発券機１２０は段階４０３でチケットが発行できるチケットサーバ１３０へチケットに関連情報を要請する。チケット発券機１２０は端末機１１１から受信されたチケット発券要請に基づき該当チケットサーバ１３０を把握する。
【００２８】
この際、チケットサーバ１３０はチケット発券機１２０からチケットに関連情報が要請されれば、データベース１４０を参照して該当チケットに関連情報をチケット発券機１２０へ伝送する。もしチケットに関連情報がデータベース１４０に存在しなければ、チケットサーバ１３０はそれによるメッセージをチケット発券機１２０へ伝送する。
【００２９】
段階４０５でチケットサーバ１３０から情報が受信されれば、段階４０７から受信された情報がチケットに関連情報であるかをチェックする。チェック結果、チケットに関連情報であれば、段階４０９で端末機１１０とチケット発券機１２０との通信プロトコルをチェックする。チェック方式は図１と同じである。通信プロトコルがチェックされれば、段階４１１で該当チケットに関連情報を該当通信プロトコルに変換して端末機１１０へ伝送する。
【００３０】
しかし、段階４０７でチェックした結果、受信された情報がチケットに関連情報ではなければ、段階４１３でチケット発券が不可能であるというメッセ−ジを端末機１１０へ伝送する。
【００３１】
図５は本発明に係るチケット提供方法における端末機の動作流れ図である。
即ち、端末機１１０は段階５０１で発券を要請したチケットに関連情報が図２に示されたようなフォ−マットへ受信されれば、段階５０３でチケットに関連情報の中Ａ，Ｂ，Ｃ，Ｄ領域の情報を分析し、分析した結果を用いて該当チケットに関連情報を組み立てる。例えば、Ｃ領域とＤ領域との情報を分析した結果、該当チケットに関連情報のメッセ−ジが多数個の場合に、これらのメッセージを全て用いて一つのチケットに関連情報が貯蔵できるように、受信されたチケットに関連情報を組み立てる。
【００３２】
その後、段階５０５でチケットに関連情報の中Ｅ領域の情報を分析して使用者に確認させる。即ち、使用者がＥ領域の情報を見られるように提供する。使用者は表示されるＥ領域の情報を確認した後、認証暗号情報が自分が知っていることと一致する（又は合う）場合には“ＯＫ”情報を入力し、一致しない場合には“ＮＯＫ”情報を入力する。“ＯＫ”情報が入力されれば、段階５０９から受信されたチケットに関連情報の中Ｆ〜Ｋ情報を分析し、分析された結果に基づきチケットに関連情報を端末機１００に貯蔵する。この際、Ｆ〜Ｋ情報を分析した結果と設定されている分類基準に基づき受信されたチケットに関連情報を分類して貯蔵される。分類基準はチケット販売所又はチケット種類又は使用日付が該当ことができる。
【００３３】
しかし、段階５０７でＯＫ情報が入力されなければ、受信されたチケットに関連情報は端末機１１０に貯蔵されない。
図６は本発明に係るチケット利用方法におけるチケット認証処理及び出入処理器１５０の動作流れ図である。
【００３４】
即ち、段階６０１で端末機１１０からチケットに関連情報が受信されれば、チケット認証／出入処理器１５０は段階６０３でチケット情報のＦ情報を分析して該当チケットサーバを把握する。該当チケットサーバがチケットサーバ１３０であれば、段階６０５でチケットサーバ１３０へ受信されたチケット情報に対する照会を依頼する。段階６０７でチケットサーバ１３０から照会結果が受信されれば、段階６０９から受信された結果による出入処理を行う。即ち、受信された照会結果により該当チケットに関連情報が出入が可能なことと決定されれば、端末機１１０の使用者が通過できるように処理する。
【００３５】
反面、受信された照会結果により該当チケットに関連情報が出入が可能ではないことと決定されれば、端末機１１０の使用者が通過できないように処理する。この際、チケット認証／出入処理器１５０は受信された照会結果を端末機１１０へ通報することもできる。
【００３６】
図７は本発明に係るチケット利用方法におけるサーバ側の動作流れ図である。
即ち、段階７０１でチケット認証／出入処理器１５０からチケットに関連情報に対する照会が依頼されれば、チケットサーバ１３０は段階７０３でデータベース１４０を参照して出入可能なチケット情報であるかを確認する。確認結果、出入可能なチケット情報であれば、段階７０５から段階７０７へ進行されてチケット認証／出入処理器１５０へ照会結果が“ＯＫ”であることを通報する。しかし、確認結果、出入可能なチケット情報ではなければ、段階７０９からチケット認証／出入処理器１５０へ照会結果が“ＮＯＫ”であることを通報する。
【００３７】
発明の効果
本発明によると、観覧や利用施設を用いるためのチケット紛失が防止でき、ディジタル取引きで印刷物形態のチケットが不要になるため資源が節約できる。
又、チケット発券及び検札のための人員を減らせるため、人件費も節約できる。そして、端末機の利用範囲を拡大させ得る。
【図面の簡単な説明】
【００３８】
【図１】本発明に係るチケット提供及び利用システムの機能ブロック図である。
【図２】本発明に係るチケットデータの規格である。
【図３】本発明に係るチケット提供方法におけるチケットサーバの動作流れ図である。
【図４】本発明に係るチケット提供方法におけるチケット発券機の動作流れ図である。
【図５】本発明に係るチケット提供方法における端末機の動作流れ図である。
【図６】本発明に係るチケット利用方法におけるチケット認証処理及び出入処理器の動作流れ図である。
【図７】本発明に係るチケット利用方法におけるチケットサーバの動作流れ図である。
【符号の説明】
【００３９】
１１０  端末機
１１１  貯蔵部
１１２  処理器
１２０  チケット発券機
１３０  チケットサーバ
１４０  データベース
１５０  チケット認証／出入処理器
【図１】
2004355641.tif 000003
【図２】
2004355641.tif 000004
【図３】
2004355641.tif 000005
【図４】
2004355641.tif 000006
【図５】
2004355641.tif 000007
【図６】
2004355641.tif 000008
【図７】
2004355641.tif 000009
【手続補正書】
【提出日】平成16年6月28日(2004.6.28)
【手続補正１】
【補正対象書類名】特許請求の範囲
【補正対象項目名】全文
【補正方法】変更
【補正の内容】
【特許請求の範囲】
【請求項１】
携帯可能な端末機、チケット認証／出入システム及び前記携帯可能な端末機により発券が要求されたチケットにチケット関連情報を提供しうるチケットサーバが連結されたネットワーク環境で前記携帯可能な端末機を用いて受領したチケットの認証方法において、
前記端末機から前記チケット関連情報を受信することにより、前記チケット認証／出入システムは前記チケット関連情報を分析して前記チケット関連情報を提供したチケットサーバを特定する段階と、
前記チケット認証／出入システムは前記チケットサーバに前記チケット関連情報が利用可能なデータであるか否かの照会を要求する段階と、
前記チケットサーバから前記照会要求に対する結果が受信されれば、前記チケット認証／出入システムは前記受信された結果によって前記携帯可能な端末機から受信されたチケット関連情報が利用可能なデータであるか否かを決定する段階と、を含むチケットの認証方法
【請求項２】
前記チケット認証／出入システムは、前記チケット関連情報に含まれているチケット販売所データに基づいて前記チケットを発行したチケットサーバを特定することを特徴とする請求項１に記載のチケットの認証方法
【請求項３】
前記照会要求に対する結果を前記端末機に伝送する段階をさらに含むことを特徴とする請求項１に記載のチケットの認証方法
【請求項４】
携帯可能な端末機及び前記携帯可能な端末機により発券が要求されたチケット関連情報を提供しうるチケットサーバと連結可能なチケット認証／出入システムにおいて、
前記端末機からチケット関連情報を受信することにより、前記受信されたチケット関連情報を分析して前記チケット関連情報を提供したチケットサーバを特定し、前記チケットサーバに前記チケット関連情報が利用可能なデータであるか否かの照会を要求し、前記チケットサーバから前記照会要求結果が受信されれば、受信された照会要求結果によって前記受信されたチケット関連情報が利用可能なデータであるか否かを決定する処理器と、
前記処理器と連結されて前記処理器のチケットサーバ特定機能、前記チケット関連情報に対する照会要求機能、前記チケット関連情報が利用可能なデータであるか否かを決定する機能を制御するためのプログラムを保存する貯蔵部と、を含むチケット認証／出入システム。